(57)【要約】【課題】オプション部品等を取り付けるためにバンパーフェイス２０の一部分を切欠形成する場合であっても、容易に搬送、組付ができる車両用バンパー構造を提供する。【解決手段】車幅方向の延在する車体側のバンパービーム１０と、車幅方向に延在する天板部２２と天板部２２の車両後方端から下方へ垂下する後面部２３とを備えてなりバンパービーム１０を被覆するバンパーフェイス２０と、車幅方向に延在し天板部２２の下面に取り付けられバンパービーム１０の上方に配置され且つバンパーフェイス２０を補強する補強用スペーサ３０とを備える。【選択図】図２
2008037235.tif 000002
【特許請求の範囲】
【請求項１】
車幅方向の延在する車体側のバンパービームと、
車幅方向に延在する天板部と、前記天板部の車両後方端から下方へ垂下する後面部とを備えてなり、前記バンパービームを被覆するバンパーフェイスと、
車幅方向に延在し、前記天板部の下面に取り付けられ、前記バンパービームの上方に配置され、且つ、前記バンパーフェイスを補強する補強用スペーサと、
を備えることを特徴とする車両用バンパー構造。
【請求項２】
前記天板部は、取付用穴を有し、
前記補強用スペーサは、前記取付用穴に係合する係合部を備え、
前記天板部の上面に載置され、且つ、前記取付用穴を被覆する踏み段用ステップをさらに備える請求項１記載の車両用バンパー構造。
【請求項３】
前記補強用スペーサは、
車幅方向に延在し前記天板部の下面に対向配置される板状部と、
前記板状部に一体成形され車両上下方向且つ車幅方向に延在する複数のリブと、
を備える請求項１又は２に記載の車両用バンパー構造。
【請求項４】
前記板状部は、前記天板部の下面に対して離隔して対向配置され、
前記リブは、前記板状部の上面に一体成形される請求項３記載の車両用バンパー構造。
【請求項５】
前記補強用スペーサは、前記バンパーフェイスの前記天板部の車両前方端にインテグラルヒンジ部を介して一体成形される請求項１〜４の何れか一項に記載の車両用バンパー構造。
【請求項６】
前記補強用スペーサに取り付けられるワイヤーハーネスをさらに備える請求項１〜５の何れか一項に記載の車両用バンパー構造。
【発明の詳細な説明】
【技術分野】
【０００１】
本発明は、車両の後方側のバンパー構造に関するものである。
【背景技術】
【０００２】
従来、車両用バンパー構造として、特開２００６−３６０７９号公報（特許文献１）に開示されたものがある。当該公報に開示された車両用バンパー構造は、バンパービームの上面側に緩衝部材が取り付けられている。そして、一体にされたバンパービームと緩衝部材をバンパーフェイスで覆っている。
【特許文献１】特開２００６−３６０７９号公報
【発明の開示】
【発明が解決しようとする課題】
【０００３】
ところで、近年、車両に搭載するオプション部品が増加している。例えば、後部バンパーに取り付けるオプション部品としては、トーイングヒッチやクリアランスソナー等がある。これらのオプション部品を取り付ける前に、まず、バンパーフェイスの一部分を切欠形成する必要がある。このように、一部分を切欠形成することにより、バンパーフェイス自体の剛性が低下する。そして、このバンパーフェイスを搬送して、バンパービームに組み付ける際等に、バンパーフェイスの剛性の低下により、搬送及び組付の作業性が悪くなる。例えば、一部分を切欠形成することによりバンパーフェイスが屈曲変形しやすくなる場合には、バンパーフェイスが屈曲変形しないように、搬送、組付を行わなければならない。
【０００４】
本発明は、このような事情に鑑みてなされたものであり、オプション部品等を取り付けるためにバンパーフェイスの一部分を切欠形成する場合であっても、容易に搬送、組付ができる車両用バンパー構造を提供することを目的とする。
【課題を解決するための手段】
【０００５】
本発明の車両用バンパー構造は、車幅方向の延在する車体側のバンパービームと、以下に説明するバンパーフェイスと、補強用スペーサとを備える。バンパーフェイスは、車幅方向に延在する天板部と、天板部の車両後方端から下方へ垂下する後面部とを備えてなり、バンパービームを被覆する。補強用スペーサは、車幅方向に延在し、天板部の下面に取り付けられ、バンパービームの上方に配置され、且つ、バンパーフェイスを補強する。
【０００６】
つまり、本発明の車両用バンパー構造の組付を行う際には、バンパーフェイスの天板部に補強用スペーサを取り付けて両者を一体的にした後、これら一体部品をバンパービームに取り付ける。従って、車幅方向に延在する補強用スペーサにより、バンパーフェイスと補強用スペーサの一体部品の剛性を向上することができる。つまり、バンパーフェイスの一部分が切欠形成されたとしても、バンパーフェイスが屈曲変形することを抑制することができる。そのため、バンパーフェイスの搬送、組付を容易に行うことができる。なお、特許文献１に開示された車両用バンパー構造における緩衝部材に相当する部材を、本発明の補強用スペーサに適用することもできる。
【０００７】
また、本発明の車両用バンパー構造における天板部は、取付用穴を有し、補強用スペーサは、取付用穴に係合する係合部を備える。そして、この場合、車両用バンパー構造は、天板部の上面に載置され、且つ、取付用穴を被覆する踏み段用ステップをさらに備えるようにするとよい。
【０００８】
このように、補強用スペーサの天板部への取付方法のうち、天板部の取付用穴に係合部を係合させる方法は、非常に容易である。従って、この取付方法を採用することで、製造コストを低減することができる。ただし、天板部に取付用穴が形成されていると、天板部を意匠面とすることができない。しかし、上記の場合には、天板部を被覆する踏み段用ステップを設けることで、踏み段用ステップを意匠面とすることができるので、天板部の取付用穴が形成されていることは問題とならない。つまり、意匠上の制約を受けることなく、容易な取付方法を採用することができる。また、元々、踏み段用ステップを有する車両においては、新たな部品を設ける必要がないため、低コスト化を図ることができる。
【０００９】
なお、天板部に形成された取付用穴は、補強用スペーサの係合部を挿入してスライドさせたときに、係止するような形状とするとよい。これにより、補強用スペーサの係合部が天板部の取付用穴から容易に外れることを防止できる。さらに、踏み段用ステップの下面側に下側に向かって突出するずれ防止用突起部を形成しておき、補強用スペーサにずれ防止用突起部が挿入される挿入穴を形成するとよい。これにより、補強用スペーサが、踏み段用ステップに対して車両前後方向にずれが生じないようにすることができる。従って、車両後方に衝撃を受けた場合に、補強用スペーサがバンパーフェイスから脱落することを防止できる。
【００１０】
また、踏み段用ステップを設ける際には、踏み段用ステップの下面に下側に向かって突出する下側突起部、及び、バンパーフェイスの天板の上面に上側に向かって突出する上側突起部の少なくとも何れか一方を形成するとよい。つまり、踏み段用ステップの下面とバンパーフェイスの上面との間に、下側突起部及び上側突起部の少なくとも何れか一方が設けられている。これにより、踏み段用ステップの車両前方側から泥や水が侵入した場合に、踏み段用ステップの車両後方側まで移動することを防止できる。
【００１１】
また、補強用スペーサは、車幅方向に延在し天板部の下面に対向配置される板状部と、板状部に一体成形され車両上下方向且つ車幅方向に延在する複数のリブと、を備えるようにしてもよい。このように、複数のリブを設けることで、補強用スペーサの車幅方向の曲げ剛性を向上することができる。
【００１２】
また、補強用スペーサの板状部は、天板部の下面に対して離隔して対向配置され、補強用スペーサのリブは、板状部の上面に一体成形されるようにしてもよい。これにより、バンパーフェイスに補強用スペーサを取り付けた状態において、バンパーフェイスの天板部と補強用スペーサの板状部との間に、複数のリブが介在するようになる。そうすると、例えば、天板部、板状部、及び、リブにより、閉じた断面形状を形成することができる。このように、閉じた断面形状とすることにより、車幅方向の剛性をより向上することができる。
【００１３】
また、補強用スペーサは、バンパーフェイスの天板部の車両前方端にインテグラルヒンジ部を介して一体成形されるようにしてもよい。つまり、バンパーフェイスと補強用スペーサとを一体成形することになるので、部品点数を低減できる。さらに、補強用スペーサを天板部の下面に取り付ける際には、インテグラルヒンジ部において、補強用スペーサを回転させることで足りる。つまり、補強用スペーサを容易にバンパーフェイスの天板部の下面に取り付けることができる。
【００１４】
また、補強用スペーサに取り付けられるワイヤーハーネスをさらに備えるようにしてもよい。ここで、従来は、ワイヤーハーネスは、バンパーフェイスの裏面側に直接取り付けていた。そのため、バンパーフェイスの裏面側に、ワイヤーハーネスの取付用係止部を形成する必要があった。このように、取付用係止部を形成することに伴い、バンパーフェイスの表面側（意匠面）にヒケが生じるおそれがある。そのため、取付用係止部の形状や形成箇所等は、意匠面を考慮しながら設計、製造する必要があり、容易ではなかった。これに対して、本発明によれば、ワイヤーハーネスは補強用スペーサに取り付けているので、バンパーフェイスに従来の取付用係止部に相当するものを設ける必要がない。従って、ワイヤーハーネスを取り付けるために、意匠面への影響を考慮する必要が無くなり、バンパーフェイスの設計、製造が容易となる。
【００１５】
また、ワイヤーハーネスを補強用スペーサに取り付ける場合には、例えば、補強用スペーサの複数のリブの間にワイヤーハーネスを配置してもよい。これにより、ワイヤーハーネスが補強用スペーサのリブにより保護される。
【００１６】
また、補強用スペーサの板状部がバンパーフェイスの天板部の下面に対して離隔して対向配置される場合には、ワイヤーハーネスを補強用スペーサの板状部とバンパーフェイスの天板部との間に配置してもよい。このようにしても、ワイヤーハーネスを保護することができる。
【００１７】
また、補強用スペーサの車両前方側の下面側を、車両前方側に行くに従って車両上方に向かって傾斜するようにしてもよい。つまり、補強用スペーサの下面のうち車両前方端は、車両後方端よりも車両上方に位置している。これにより、バンパーフェイスと補強用スペーサの一体部品をバンパービームに取り付ける際に、補強用スペーサの下面がガイドを形成することになる。従って、一体部品をバンパービームに容易に取り付けることができる。
【発明の効果】
【００１８】
本発明の車両用バンパー構造によれば、バンパーフェイスに補強用スペーサを取り付けるので、オプション部品等を取り付けるためにバンパーフェイスの一部分を切欠形成する場合であっても、容易に搬送、組付ができる。
【発明を実施するための最良の形態】
【００１９】
（１）第１実施形態
次に、実施形態を挙げ、本発明についてより詳しく説明する。第１実施形態における車両後部のバンパー構造について、図１〜図３を参照して説明する。図１は、車両後部のバンパー構造の車両後上方から見た分解斜視図を示す。図２は、車両後部のバンパー構造の車幅方向中央の断面図を示す。図３は、車両後部のバンパー構造の中央より車両右側の断面図を示す。
【００２０】
図１に示すように、車両後部のバンパー構造は、リアバンパービーム１０と、リアバンパーフェイス２０と、補強用スペーサ３０と、ワイヤーハーネスモジュール４０と、踏み段用ステップ５０とを備える。
【００２１】
リアバンパービーム１０は、図１に示すように、シャシフレームのうち車両後方側に位置する部分であって車幅方向に延在する部分、又は、シャシフレームの後端部に車幅方向に延在するように取り付けられたバンパーリインフォースである。このリアバンパービーム１０は、図２及び図３に示すように、略矩形状断面からなる筒状をなしている。
【００２２】
リアバンパーフェイス２０は、略コの字型の断面形状に形成された樹脂製の部材であって、リアバンパービーム１０の車両上方及び車両後方を被覆する部材である。このリアバンパーフェイス２０は、車幅方向の延在する本体部２１と、本体部２１の左右両端から車両前方へ延在した車両側部２４とを備える。この本体部２１は、詳細には、車幅方向且つ略水平方向に延在する天板部２２と、天板部２２の車両後方端から下方へ垂下する後面部２３とから構成される。
【００２３】
そして、天板部２２には、複数のスペーサ取付用穴２２ａ、複数のステップ取付用穴２２ｂ、及び、複数の突起部挿入穴２２ｃが形成されている。スペーサ取付用穴２２ａは、後述する補強用スペーサ３０のスペーサ係合部３３を挿入係合する穴である。このスペーサ取付用穴２２ａは、鍵型、すなわち楕円形と台形とを結合させた形状に形成されている。具体的には、楕円形部分は、車両左右方向に長軸となるように形成され、台形部分は、長辺側が車両前方側となるように形成される。そして、楕円形状部分が、台形部分の車両後方側に位置するような鍵型とされている。これは、スペーサ係合部３３を台形状部分に挿入した後、楕円形側にスライドさせることで、スペーサ係合部３３が楕円形状部分に係止できるようにしたものである。ステップ取付用穴２２ｂは、後述する踏み段用ステップ５０のステップ係合部５２を挿入係合する穴である。このステップ取付用穴２２ｂは、略矩形状に形成されている。突起部挿入穴２２ｃは、踏み段用ステップ５０に形成されたスペーサ係止用突起部５３を挿入する穴である。
【００２４】
さらに、天板部２２の上面には、車幅方向に延在し、且つ、上方へ突出する止水用突起部２２ｄが形成されている。この止水用突起部２２ｄは、リアバンパーフェイス２０の天板部２２と踏み段用ステップ５０との車両前方側の隙間から泥や水が侵入した場合に、車両後方まで移動することを防止するためのものである。
【００２５】
ここで、トーイングヒッチが取り付けられる車両においては、後面部２３のうち車幅方向のほぼ中央付近を大きく切欠形成する。また、クリアランスソナーが取り付けられる車両においては、後面部２３に複数のソナー取付穴（図示せず）を形成する。
【００２６】
補強用スペーサ３０は、板状部３１と、複数のリブ３２と、スペーサ係合部３３とを備える。そして、この補強用スペーサ３０は、リアバンパーフェイス２０の天板部２２の下面に取り付けられる。さらに、補強用スペーサ３０は、リアバンパービーム１０の上方に離隔又は接触した状態で配置される。なお、この補強用スペーサ３０は、リアバンパーフェイス２０に直接取り付けられており、リアバンパービーム１０に直接取り付けられていない。
【００２７】
補強用スペーサ３０の板状部３１は、リアバンパーフェイス２０の天板部２２の下面に倣うような平板状からなる。この板状部３１の車両前後方向幅は、図２及び図３に示すように、リアバンパービーム１０の車両前後方向幅よりも大きく、且つ、リアバンパーフェイス２０の天板部２２の車両前後方向幅よりも小さくされている。そして、板状部３１は、天板部２２の下面の直下に重なり合うように、且つ、車幅方向且つ略水平方向に延在するように配置されている。この板状部３１には、複数のハーネス取付用穴３１ａと複数のずれ防止用穴３１ｂが形成されている。ハーネス取付用穴３１ａは、後述するワイヤーハーネスモジュール４０の係止部材４３を挿入係合する穴である。ずれ防止用穴３１ｂは、後述する踏み段用ステップ５０に形成されたスペーサ係止用突起部５３を挿入する穴である。
【００２８】
補強用スペーサ３０のリブ３２は、板状部３１の下面に、下方側に突出するように一体成形されている。このリブ３２は、少なくとも車両上下方向且つ車幅方向に延在するように形成され、部分的に車両上下方向且つ車両前後方向に延在するように形成されている。そして、リブ３２のうち車幅方向に延在するように形成されている部分の車両前後方向の離間距離は、後述するワイヤーハーネスモジュール４０の幅よりも大きくされている。これは、ワイヤーハーネス４１をリブ３２間に挿入配置して、ワイヤーハーネス４１を保護するためである。さらに、リブ３２の下面側が、車両前方側に行くに従って、車両上方に向かって傾斜するようにされている。つまり、リアバンパーフェイス２０と補強用スペーサの一体部品をリアバンパービーム１０に取り付ける際に、リブ３２の下面がガイドを形成することになる。
【００２９】
スペーサ係合部３３は、板状部３１の車両前方端及び車両後方端に、車両上方側に突出するように一体成形されている。このスペーサ係合部３３は、図２に示すように、先端側が車両後方側に屈曲形成された略Ｌ字側形状をなしている。そして、このスペーサ係合部３３は、リアバンパーフェイス２０の天板部２２のスペーサ取付用穴２２ａに挿入係合される。具体的には、スペーサ係合部３３は、スペーサ取付用穴２２ａの台形部分に挿入可能な大きさであって、楕円形部分と台形部分との境界部分に対して車両前後方向に係合可能な形状からなる。
【００３０】
ワイヤーハーネスモジュール４０は、補強用スペーサ３０に取り付けられる。このワイヤーハーネスモジュール４０は、詳細には、ワイヤーハーネス４１と、ワイヤーハーネス４１の端部に取り付けられたコネクタ４２と、ワイヤーハーネス４１を補強用スペーサ３０に取り付けるための複数の係止部材４３とから構成される。ワイヤーハーネス４１は、車幅方向に延在するように、且つ、複数のリブ３２の間に挿入配置されている。このワイヤーハーネス４１は、例えば、トーイングヒッチやクリアランスソナー等のオプション部品の電力信号線である。係止部材４３は、ワイヤーハーネス４１の外周に嵌挿される環状部４３ａと、環状部４３ａの外側に突出するように形成された係止部４３ｂとからなる。係止部４３ｂは、補強用スペーサ３０の板状部３１に形成されたハーネス取付用穴３１ａに挿入して係合する。
【００３１】
踏み段用ステップ５０は、ステップ本体部５１と、ステップ係合部５２と、スペーサ係止用突起部５３と、止水用突起部５４とから構成される。ステップ本体部５１は、部分的に波状に形成された板状からなる。このステップ本体部５１は、車幅方向に延在するように、且つ、リアバンパーフェイス２０の天板部２２の上面に載置される。さらに、ステップ本体部５１の上面には、車幅方向に延在し、且つ、下方へ突出する止水用突起部５１ａが形成されている。この止水用突起部５１ａは、天板部２２に形成される止水用突起部２２ｄと同様の機能を有するものでる。そして、止水用突起部５１ａは、天板部２２に形成される止水用突起部２２ｄに対して車両前後方向にずれた位置に形成されている。
【００３２】
ステップ係合部５２は、ステップ本体部５１の車両前方端及び車両後方端に、車両下方側に突出するように一体成形されている。このステップ係合部５２は、図２に示すように、リアバンパーフェイス２０の天板部２２のステップ取付用穴２２ｂに挿入係合される。スペーサ係止用突起部５３は、ステップ本体部５１の下面に、車両下方側に突出するように一体成形されている。このスペーサ係止用突起部５３は、リアバンパーフェイス２０の天板部２２の突起部挿入穴２２ｃに挿入されると共に、補強用スペーサ３０の板状部３１のずれ防止用穴３１ｂに挿入される。スペーサ係止用突起部５３がずれ防止用穴３１ｂに挿入されることで、補強用スペーサ３０が、リアバンパーフェイス２０及び踏み段用ステップ５０に対して、車両前後方向にずれが生じないようにすることができる。
【００３３】
次に、上述した車両後部のバンパー構造の組付方法（製造方法）について説明する。まず、補強用スペーサ３０のリブ３２の間にワイヤーハーネスモジュール４０を配置する。このとき、ワイヤーハーネスモジュール４０の係止部材４３が、補強用スペーサ３０の板状部３１のハーネス取付用穴３１ａに挿入係合する。
【００３４】
続いて、補強用スペーサ３０とワイヤーハーネスモジュール４０との一体部品を、リアバンパーフェイス２０の天板部２２の下面に取り付ける。具体的には、補強用スペーサ３０のスペーサ係合部３３が、天板部２２のスペーサ取付用穴２２ａに挿入係合する。このとき、補強用スペーサ３０の板状部３１が、天板部２２の下面側に重なり合うように配置される。
【００３５】
続いて、補強用スペーサ３０、ワイヤーハーネスモジュール４０、及び、リアバンパーフェイス２０の一体部品を、車両ボディ（図示せず）に取り付ける。このとき、当該一体部品、特にリアバンパーフェイス２０により、リアバンパービーム１０の車両後方及び車両上方が被覆される。さらに、補強用スペーサ３０が、リアバンパービーム１０の上方に配置される。ここで、補強用スペーサ３０のリブ３２の下面側が、車両前方側がガイド形状をなしている。従って、補強用スペーサ３０をリアバンパービーム１０の上方に配置するように、当該一体部品を車両ボディに取り付ける際に、非常に容易にできる。
【００３６】
最後に、踏み段用ステップ５０をリアバンパーフェイス２０の天板部２２の上面に載置する。このとき、踏み段用ステップ５０のステップ係合部５２が、天板部２２のステップ取付用穴２２ｂに挿入係合する。さらに、踏み段用ステップ５０のスペーサ係止用突起部５３が、天板部２２の突起部挿入穴２２ｃ及び補強用スペーサ３０の板状部３１のずれ防止用穴３１ｂに挿入する。ここで、踏み段用ステップ５０は、天板部２２に形成されているスペーサ取付用穴２２ａ、ステップ取付用穴２２ｂ、及び、突起部挿入穴２２ｃを被覆するように配置されている。従って、天板部２２に形成されているスペーサ取付用穴２２ａ、ステップ取付用穴２２ｂ、及び、突起部挿入穴２２ｃが、意匠面に表れることがない。
【００３７】
車両後部のバンパー構造を上記のようにすることで、以下の効果を奏する。リアバンパーフェイス２０をリアバンパービーム１０に取り付ける際には、リアバンパーフェイス２０に、既に補強用スペーサ３０が取り付けられている。従って、リアバンパーフェイス２０と補強用スペーサ３０の一体部品を搬送、組付する際には、補強用スペーサ３０により、屈曲変形することを抑制できる。つまり、リアバンパーフェイス２０等の搬送、組付を容易に行うことができる。
【００３８】
特に、トーイングヒッチやクリアランスソナー等のオプション部品を取り付けるためにリアバンパーフェイス２０の一部分を切欠形成する場合であっても、リアバンパーフェイス２０と補強用スペーサ３０の一体部品を容易に搬送、組付ができる。
【００３９】
さらに、補強用スペーサ３０をリアバンパーフェイス２０への取付方法は、スペーサ取付用穴２２ａへの挿入係合という非常に容易な方法であるので、補強用スペーサ３０をリアバンパーフェイス２０へ容易に取り付けることができる。ここで、リアバンパーフェイス２０には、スペーサ取付用穴２２ａが形成されているが、このスペーサ取付用穴２２ａを踏み段用ステップ５０が被覆しているので、スペーサ取付用穴２２ａが意匠面に表れることがない。つまり、意匠状の制約を受けることなく、容易な取付方法を採用することができる。
【００４０】
（２）第２実施形態
次に、第２実施形態における車両後部のバンパー構造について、図４を参照して説明する。図４は、図２に対応する図であって、車両後部のバンパー構造の車幅方向中央の断面図を示す。ここで、第２実施形態における車両後部のバンパー構造について、第１実施形態における車両後部のバンパー構造と異なる部分についてのみ説明する。すなわち、補強用スペーサ１３０のみについて説明する。なお、第１実施形態と同一構成については、同一符号を付して説明を省略する。
【００４１】
補強用スペーサ１３０は、板状部１３１と、複数のリブ１３２と、スペーサ係合部３３とを備える。板状部１３１は、リアバンパーフェイス２０の天板部２２の下面に対して離隔して対向配置されている。この板状部１３１は、車両前方側に行くに従って、車両上方に向かって傾斜するようにされている。つまり、リアバンパーフェイス２０と補強用スペーサの一体部品をリアバンパービーム１０に取り付ける際に、板状部１３１がガイドを形成することになる。さらに、この板状部１３１には、複数のハーネス取付用穴１３１ａ及び複数のずれ防止用穴３１ｂが形成されている。ハーネス取付用穴１３１ａは、ワイヤーハーネスモジュール４０の係止部材４３を挿入係合する穴である。
【００４２】
また、リブ１３２は、板状部１３１の上面に、上方側に突出するように一体成形されている。このリブ１３２は、少なくとも車両上下方向且つ車幅方向に延在するように形成され、部分的に車両上下方向且つ車両前後方向に延在するように形成されている。そして、リブ１３２のうち車幅方向に延在するように形成されている部分の車両前後方向の離間距離は、ワイヤーハーネスモジュール４０の幅よりも大きくされている。これは、ワイヤーハーネス４１をリブ１３２間に挿入配置して、ワイヤーハーネス４１を保護するためである。つまり、ワイヤーハーネスモジュール４０は、リブ１３２の間であると共に、リアバンパーフェイス２０の天板部２２と補強用スペーサ１３０の板状部１３１との間に配置されている。従って、ワイヤーハーネスモジュール４０の周囲が、リアバンパーフェイス２０及び補強用スペーサ１３０により被覆されている。
【００４３】
（３）第３実施形態
次に、第３実施形態における車両後部のバンパー構造について、図５を参照して説明する。図５は、図２に対応する図であって、車両後部のバンパー構造の車幅方向中央の断面図を示す。ここで、第３実施形態における車両後部のバンパー構造について、第１実施形態における車両後部のバンパー構造と異なる部分についてのみ説明する。すなわち、補強用スペーサ２３０のみについて説明する。なお、第１実施形態と同一構成については、同一符号を付して説明を省略する。
【００４４】
補強用スペーサ２３０は、第１実施形態における補強用スペーサ３０とほぼ同様の形状からなる。すなわち、補強用スペーサ２３０は、板状部２３１と、複数のリブ３２と、スペーサ係合部３３とを備える。ここで、板状部２３１は、第１実施形態における補強用スペーサ３０の板状部３１とほぼ同様の形状からなる。
【００４５】
ここで、補強用スペーサ２３０は、リアバンパーフェイス２０と一体成形されている。成形時における補強用スペーサ２３０の形状は、図５の二点鎖線にて示す。つまり、補強用スペーサ２３０の一端は、リアバンパーフェイス２０の天板部２２の車両前方端に接合した状態であって、補強用スペーサ２３０が天板部２２の上方に立設するように成形される。すなわち、補強用スペーサ２３０と天板部２２とが接合する部分であるインテグラルヒンジ部２３１を介して、両者が一体成形されている。
【００４６】
そして、組付時には、インテグラルヒンジ部２３１を中心に、補強用スペーサ２３０を図５の左回りに回転させて、天板部２２の下面側に配置する。このようにして、補強用スペーサ２３０をリアバンパーフェイス２０に取り付ける。
【００４７】
これにより、リアバンパーフェイス２０と補強用スペーサ２３０とを一体成形することになるので、部品点数を低減できる。さらに、補強用スペーサ２３０を天板部２２の下面に取り付ける際には、インテグラルヒンジ部２３１において、補強用スペーサ２３０を回転させることで足りる。つまり、補強用スペーサ２３０を容易にリアバンパーフェイス２０の天板部２２の下面に取り付けることができる。
【図面の簡単な説明】
【００４８】
【図１】第１実施形態における車両後部のバンパー構造の車両後上方から見た分解斜視図を示す。
【図２】図１の車両後部のバンパー構造の車幅方向中央の断面図を示す。
【図３】図１の車両後部のバンパー構造の中央より車両右側の断面図を示す。
【図４】第２実施形態における車両後部のバンパー構造の車幅方向中央の断面図を示す。
【図５】第３実施形態における車両後部のバンパー構造の車幅方向中央の断面図を示す。
【符号の説明】
【００４９】
１０：リアバンパービーム、
２０：リアバンパーフェイス、  ２１：本体部、  ２２：天板部、  
２２ａ：スペーサ取付用穴、  ２２ｂ：ステップ取付用穴、  ２２ｃ：突起部挿入穴、
２２ｄ：止水用突起部、
２３：後面部、  ２４：車両側部、
３０：補強用スペーサ、  ３１：板状部、  ３１ａ：ハーネス取付用穴、
３１ｂ：ずれ防止用穴、  ３２：リブ、  ３３：スペーサ係合部、
４０：ワイヤーハーネスモジュール、  ４１：ワイヤーハーネス、  ４２：コネクタ、
４３：係止部材、  ４３ａ：環状部、  ４３ｂ：係止部、
５０：踏み段用ステップ、  ５１：ステップ本体部、  ５１ａ：止水用突起部、
５２：ステップ係合部、  ５３：スペーサ係止用突起部
【図１】
2008037235.tif 000003
【図２】
2008037235.tif 000004
【図３】
2008037235.tif 000005
【図４】
2008037235.tif 000006
【図５】
2008037235.tif 000007